(57)【要約】【課題】クリーナとしてのみならず、モバイルフォンスタンドとしても用いることができて至便なモバイルフォンクリーナを提供する。【解決手段】表て面５側にモバイルフォンＭを拭くための不織布６を有し、裏面10側にモバイルフォンＭの裏面Ｎに貼着剥離自在な粘着層を有する。不織布６と粘着層の間に剛性を高めるための芯材シートを介在させ、左右方向中間部１がモバイルフォンＭの裏面Ｎから離間して平面視Ｖ字型乃至Ｕ字型の撓み立体形状に撓ませて左右両端面部２をモバイルフォンＭの裏面Ｎに貼着させて左右方向中間部１を撓み立体形状に保持したスタンド使用状態としてモバイルフォンＭを載置面上に立設支持可能に構成する。【選択図】図１
2013220239.tif 000002
【特許請求の範囲】
【請求項１】
表て面（５）側にモバイルフォン（Ｍ）を拭くための不織布（６）を有し、裏面（10）側にモバイルフォン（Ｍ）の裏面（Ｎ）に貼着剥離自在な粘着層（９）を有し、上記不織布（６）と上記粘着層（９）の間に剛性を高めるための芯材シート（７）を介在させ、左右方向中間部（１）がモバイルフォン（Ｍ）の裏面（Ｎ）から離間して平面視Ｖ字型乃至Ｕ字型の撓み立体形状に撓ませて左右両端面部（２）をモバイルフォン（Ｍ）の裏面（Ｎ）に貼着させて上記左右方向中間部（１）を上記撓み立体形状に保持したスタンド使用状態としてモバイルフォン（Ｍ）を載置面（Ｇ）上に立設支持可能に構成したことを特徴とするモバイルフォンクリーナ。
【請求項２】
上記芯材シート（７）と上記粘着層（９）とを、接着層（８）にて貼合せることにより上記芯材シート（７）に上記粘着層（９）を強力固着した請求項１記載のモバイルフォンクリーナ。
【請求項３】
上記接着層（８）が両面接着テープから成る請求項２記載のモバイルフォンクリーナ。
【請求項４】
全体を矩形状に形成し、該矩形の短辺（３）に平行な複数本の直線折り目用凹溝（４）を上記表て面（５）側に形成して該凹溝（４）にて折り曲げ容易に構成し、上記複数本の直線折り目用凹溝（４）を、上記短辺（３）に平行な中心線（Ｌ）に関して対称に配設した請求項１，２又は３記載のモバイルフォンクリーナ。
【請求項５】
上記短辺（３）に最も近い左右一対の上記凹溝（４）に対応する裏面（10）側の位置に上記粘着層（９）の切れ目線（11）を形成した請求項４記載のモバイルフォンクリーナ。
【請求項６】
全体を矩形状に形成し、上記矩形の長辺（12）の長さ寸法（Ｌ12）を、対象とするモバイルフォン（Ｍ）の裏面（Ｎ）の長辺の長さ寸法（Ｗｙ）よりも短く設定するとともに、上記矩形の短辺（３）の長さ寸法（Ｌ３）を、対象とするモバイルフォン（Ｍ）の裏面（Ｎ）の短辺の長さ寸法（Ｗｘ）よりも短く設定して、不使用状態でモバイルフォン（Ｍ）の裏面（Ｎ）に、上記粘着層（９）を介して、貼着剥離自在に粘着可能に構成した請求項１，２，３，４又は５記載のモバイルフォンクリーナ。
【請求項７】
モバイルフォン（Ｍ）を縦置き又は横置きのいずれにも支持可能に構成した請求項１，２，３，４，５又は６記載のモバイルフォンクリーナ。
【発明の詳細な説明】
【技術分野】
【０００１】
本発明は、モバイルフォンクリーナに関する。
【背景技術】
【０００２】
従来、モバイルフォンの表示部の汚れを拭くために不織布を有するモバイルフォンクリーナが用いられる（例えば、特許文献１参照）。
【０００３】
しかし、モバイルフォンを立設させるには、別途、モバイルフォンスタンドを用いる必要があった。また、モバイルフォンと一体的に持ち運ぶために、不織布等に係止具等を取着しており、コスト高となるという欠点があった。
【先行技術文献】
【特許文献】
【０００４】
【特許文献１】特開２００７−２３６８９７号公報
【発明の概要】
【発明が解決しようとする課題】
【０００５】
解決しようとする課題は、モバイルフォンを立設させるには、別途、モバイルフォンスタンドを用いる必要がある点である。また、コスト高となる点である。
【課題を解決するための手段】
【０００６】
そこで、本発明に係るモバイルフォンクリーナは、表て面側にモバイルフォンを拭くための不織布を有し、裏面側にモバイルフォンの裏面に貼着剥離自在な粘着層を有し、不織布と粘着層の間に剛性を高めるための芯材シートを介在させ、左右方向中間部がモバイルフォンの裏面から離間して平面視Ｖ字型乃至Ｕ字型の撓み立体形状に撓ませて左右両端面部をモバイルフォンの裏面に貼着させて左右方向中間部を撓み立体形状に保持したスタンド使用状態としてモバイルフォンを載置面上に立設支持可能に構成したものである。
【０００７】
また、芯材シートと上記粘着層とを、接着層にて貼合せることにより上記芯材シートに上記粘着層を強力固着したものである。
また、接着層が両面接着テープから成るものである。
また、全体を矩形状に形成し、矩形の短辺に平行な複数本の直線折り目用凹溝を表て面側に形成して該凹溝にて折り曲げ容易に構成し、複数本の直線折り目用凹溝を、短辺に平行な中心線に関して対称に配設したものである。
また、短辺に最も近い左右一対の凹溝に対応する裏面側の位置に粘着層の切れ目線を形成したものである。
【０００８】
また、全体を矩形状に形成し、矩形の長辺の長さ寸法を、対象とするモバイルフォンの裏面の長辺の長さ寸法よりも短く設定するとともに、矩形の短辺の長さ寸法を、対象とするモバイルフォンの裏面の短辺の長さ寸法よりも短く設定して、不使用状態でモバイルフォンの裏面に、粘着層を介して、貼着剥離自在に粘着可能に構成したものである。
また、モバイルフォンを縦置き又は横置きのいずれにも支持可能に構成したものである。
【発明の効果】
【０００９】
本発明のモバイルフォンクリーナによれば、モバイルフォンの裏面から剥離してクリーナとして簡便に使用でき、しかも、モバイルフォンスタンドとしても用いることができて至便である。また、容易にモバイルフォンと一体化して持ち運ぶことができる。かつ、左右両端面部をモバイルフォンの裏面に貼着することによって、Ｖ字型乃至Ｕ字型の左右方向中間部の剛性を著しく高めて、確実にモバイルフォンを立設支持できる。さらに、低コストで作製することができる。
【図面の簡単な説明】
【００１０】
【図１】モバイルフォンを横置きとした使用状態を示す斜視図である。
【図２】側面図である。
【図３】図２のＡ−Ａ矢視図である。
【図４】モバイルフォンを縦置きとした使用状態を示す斜視図である。
【図５】携帯時の背面図である。
【図６】正面図である。
【図７】図６のＢ−Ｂ断面底面図である。
【図８】要部拡大断面底面図である。
【図９】背面図である。
【発明を実施するための形態】
【００１１】
図１〜図３は、本発明の実施の一形態のスタンド使用状態を示す。モバイルフォンＭが横置きに支持されている。すなわち、モバイルフォンクリーナは、左右方向中間部１がモバイルフォンＭの裏面Ｎから離間して平面視Ｖ字型乃至Ｕ字型の撓み立体形状に撓ませて左右両端面部２をモバイルフォンＭの裏面Ｎに撓み立体形状くずれ阻止面部13として貼着させて左右方向中間部１を撓み立体形状に保持した平面視コップ型のスタンド使用状態としてモバイルフォンＭを載置面Ｇ上に立設支持可能に構成される。
【００１２】
図２に示すように、モバイルフォンＭに回転モーメントＸがはたらくが、モバイルフォンクリーナに載置面Ｇから反力Ｆがはたらいて、モバイルフォンＭを支持している。
【００１３】
図４に示すように、モバイルフォンＭを縦置きに立設支持することもできる。
【００１４】
図５は不使用状態を示す。すなわち、不使用時には、モバイルフォンＭの裏面Ｎに一面全体を貼着させることができる。
【００１５】
図６〜図８に示すように、全体が矩形状に形成され、矩形の短辺３に平行な複数本（４本）の直線折り目用凹溝４が表て面５側に形成され凹溝４にて折り曲げ容易に構成される。複数本の直線折り目用凹溝４は、短辺３に平行な中心線Ｌに関して対称に配設される。なお、本発明に於て、「矩形状」とは、長方形の角部にアールが形成されている場合を含む。
【００１６】
図７・図８に示すように、表て面５側にモバイルフォンＭを拭くための不織布６を有し、裏面10側にモバイルフォンＭの裏面Ｎに貼着剥離自在な粘着層９を有する。不織布６は、例えば、 0.5デニール以下の超極細繊維から成る。不織布６は、例えば、ポリエチレン、ポリプロピレン、ポリウレタン、アクリル、エチレン等から成る。粘着層９は、例えば、ポリウレタンフォームから成る。
【００１７】
不織布６と粘着層９の間に剛性を高めるための芯材シート７が介在する。芯材シート７は、例えば、サーモテックポリウレタンから成る。芯材シート７と粘着層９とを、接着層８にて貼合せることにより芯材シート７に粘着層９を強力固着した。接着層８が両面接着テープから成る。なお、モバイルフォンクリーナをモバイルフォンＭの裏面Ｎに貼着した状態から剥離する際、芯材シート７と粘着層９が剥離しない程度に固着されることを「強力固着」すると言う。
【００１８】
図７〜図９に示すように、短辺３に最も近い左右一対の凹溝４に対応する裏面10側の位置に粘着層９の切れ目線11が形成される。
【００１９】
図５に戻って、全体の矩形の長辺12の長さ寸法Ｌ12を、対象とするモバイルフォンＭの裏面Ｎの長辺の長さ寸法Ｗｙよりも短く設定するとともに、矩形の短辺３の長さ寸法Ｌ３を、対象とするモバイルフォンＭの裏面Ｎの短辺の長さ寸法Ｗｘよりも短く設定して、不使用状態でモバイルフォンＭの裏面Ｎに、粘着層９を介して、貼着剥離自在に粘着可能に構成される。
【００２０】
長辺12の長さ寸法Ｌ12が、対象とするモバイルフォンＭの裏面Ｎの長辺の長さ寸法Ｗｙ以上の場合、モバイルフォンクリーナをモバイルフォンＭの裏面Ｎに貼着させた状態で、モバイルフォンクリーナがモバイルフォンＭからはみ出す。短辺３の長さ寸法Ｌ３が、対象とするモバイルフォンＭの裏面Ｎの短辺の長さ寸法Ｗｘ以上の場合、モバイルフォンクリーナをモバイルフォンＭの裏面Ｎに貼着させた状態で、モバイルフォンクリーナがモバイルフォンＭからはみ出す。
【００２１】
なお、本発明に於て、「長辺の長さ寸法」とは、長手方向の長さ寸法を言う。また、「短辺の長さ寸法」とは、幅方向(長手方向に直交する方向)の長さ寸法を言う。
【００２２】
なお、不織布６、芯材シート７等の各層を、凹溝４を形成する際、凹溝４と矩形状周囲部に於て熱融着して一体化するのが好ましい。
本発明は、設計変更可能であって、例えば、凹溝４を２本、３本、又は、５本以上形成して、左右方向中間部１が平面視Ｖ字型乃至Ｕ字型となるように撓ませてスタンド使用状態とする構成とするも良い。また、接着層８が接着剤から成るも良い。
【００２３】
以上のように、本発明は、表て面５側にモバイルフォンＭを拭くための不織布６を有し、裏面10側にモバイルフォンＭの裏面Ｎに貼着剥離自在な粘着層９を有し、不織布６と粘着層９の間に剛性を高めるための芯材シート７を介在させ、左右方向中間部１がモバイルフォンＭの裏面Ｎから離間して平面視Ｖ字型乃至Ｕ字型の撓み立体形状に撓ませて左右両端面部２をモバイルフォンＭの裏面Ｎに貼着させて左右方向中間部１を撓み立体形状に保持したスタンド使用状態としてモバイルフォンＭを載置面Ｇ上に立設支持可能に構成したので、モバイルフォンＭの裏面Ｎから剥離してクリーナとして簡便に使用でき、しかも、モバイルフォンスタンドとしても用いることができて至便である。また、容易にモバイルフォンＭと一体化して持ち運ぶことができる。かつ、左右両端面部２をモバイルフォンＭの裏面Ｎに貼着することによって、Ｖ字型乃至Ｕ字型の左右方向中間部１の剛性を著しく高めて、確実にモバイルフォンＭを立設支持できる。さらに、低コストで作製することができる。
【００２４】
また、芯材シート７と粘着層９とを、接着層８にて貼合せることにより芯材シート７に粘着層９を強力固着したので、モバイルフォンＭから剥離する際、芯材シート７と粘着層９が剥離することを防止することができる。
また、接着層８が両面接着テープから成るので、容易かつ確実に芯材シート７と粘着層９とを強力固着することができる。
【００２５】
また、全体を矩形状に形成し、矩形の短辺３に平行な複数本の直線折り目用凹溝４を表て面５側に形成して凹溝４にて折り曲げ容易に構成し、複数本の直線折り目用凹溝４を、短辺３に平行な中心線Ｌに関して対称に配設したので、容易にかつバランス良く左右方向中間部１をモバイルフォンＭの裏面Ｎから離間するように撓ませてモバイルフォンＭの裏面Ｎに貼着させることができる。
また、短辺３に最も近い左右一対の凹溝４に対応する裏面10側の位置に粘着層９の切れ目線11を形成したので、切れ目線11の部分で折れ曲がりやすくなり、容易に平面視Ｕ字型のスタンド使用状態とすることができる。
【００２６】
また、全体を矩形状に形成し、矩形の長辺12の長さ寸法Ｌ12を、対象とするモバイルフォンＭの裏面Ｎの長辺の長さ寸法Ｗｙよりも短く設定するとともに、矩形の短辺３の長さ寸法Ｌ３を、対象とするモバイルフォンＭの裏面Ｎの短辺の長さ寸法Ｗｘよりも短く設定して、不使用状態でモバイルフォンＭの裏面Ｎに、粘着層９を介して、貼着剥離自在に粘着可能に構成したので、持ち運びの際、モバイルフォンＭの裏面Ｎから不意に剥がれることを防止することができる。
また、モバイルフォンＭを縦置き又は横置きのいずれにも支持可能に構成したので、縦置き又は横置きのうち所望の方向にモバイルフォンＭを立設支持させることができ、至便である。
【符号の説明】
【００２７】
１  左右方向中間部
２  左右両端面部
３  短辺
４  （直線折り目用）凹溝
５  表て面
６  不織布
７  芯材シート
８  接着層
９  粘着層
10  裏面
11  切れ目線
12  長辺
13  撓み立体形状くずれ阻止面部
Ｇ  載置面
Ｌ  中心線
Ｌ３  長さ寸法
Ｌ12  長さ寸法
Ｗｘ  短辺の長さ寸法
Ｗｙ  長辺の長さ寸法
Ｍ  モバイルフォン
Ｎ  裏面
【図１】
2013220239.tif 000003
【図２】
2013220239.tif 000004
【図３】
2013220239.tif 000005
【図４】
2013220239.tif 000006
【図５】
2013220239.tif 000007
【図６】
2013220239.tif 000008
【図７】
2013220239.tif 000009
【図８】
2013220239.tif 000010
【図９】
2013220239.tif 000011